(57)【要約】【課題】  異物による不正工作に強い遊技機の電源装置を提供する。【解決手段】  ケース体７の上面にコネクタ１３ａ…を有する遊技機の電源装置６において、他の電気部品のコネクタ端子１４ａ…を前記コネクタ１３ａ…に差し込んだ状態でそのコネクタ端子１４ａ…の突出高さより高い周壁１５で前記コネクタ１３ａ…の周りを囲繞すると共に該周壁１５の上面を天板１６で塞ぐようになし、さらに前記周壁１５に形成したケーブル口１７ａ…から前記コネクタ端子１４ａ…のケーブル１４を横向きに引き出すようにした。この電源装置６は、コネクタ１３ａとコネクタ端子１４ａの周りを周壁１５と天板１６で覆うようにしたため、異物がコネクタ１３ａ…に接触できできない。従って電源装置６の上面を狙った不正工作を完全に封じることができる。【選択図】        図１
2006006496.tif 000002
【特許請求の範囲】
【請求項１】
ケース体の上面にコネクタを有する遊技機の電源装置において、
他の電気部品のコネクタ端子を前記コネクタに差し込んだ状態でそのコネクタ端子の突出高さより高い周壁で前記コネクタの周りを囲繞すると共に該周壁の上面を天板で塞ぐようになし、さらに前記周壁に形成したケーブル口から前記コネクタ端子のケーブルを横向きに引き出すようにしたことを特徴とする遊技機の電源装置。
【発明の詳細な説明】
【技術分野】
【０００１】
本発明は、遊技機の内部に設置する電源装置に関する。
【背景技術】
【０００２】
遊技機の一種であるスロットマシンは、図９に示したように、箱形の外枠１前面に扉型の前面パネル２を同図において左側を支点に開閉自在に装着すると共に前記外枠１内の壁際に、複数のドラム３ａ，３ｂ，３ｃを回転させて前面パネル２の表示窓４から見える表示を変える変動表示装置３や、遊技媒体たるメダルを放出するメダル放出装置５、或いはメイン基板（図示せず）、等の電気部品に電力を供給するための電源装置６を設置してなる。
【０００３】
通常、スロットマシンの電源装置６は、金属製の四角いケース体７で覆われており、該ケース体７の前面に、例えば電源スイッチ８、エラー解除スイッチ９、確率設定変更用の専用キーで操作する当たり率設定用のキースイッチ１０、打止めスイッチ１１、精算切替スイッチ１２等のスイッチ類が集められている。
【０００４】
一方、電源装置６のケース体７の上面には複数のコネクタ１３ａ，１３ｂ，１３ｃが 設けられており、各コネクタ１３ａ，１３ｂ，１３ｃに前記電気部品のケーブル１４の端にあるコネクタ端子１４ａ，１４ｂ，１４ｃが差し込まれる。なお、図９において壁際にあるコネクタ端子１４ｃは外部電源に繋がるものであり、電源装置６に外部から電力を供給するためのものである。
【０００５】
しかしてスロットマシンは、前面パネル２を閉じてロックした状態で使用するが、それでも機内にセル板や針金等の異物が差し込まれるおそれがあり、その異物で前記電源装置６前面のスイッチ類が勝手に操作される可能性があった。そこで従来は電源装置６の前面に合成樹脂製のカバーを被せ、そのカバーでスイッチ類を保護することによって前記のような異物による不正行為が行えないようにしている（特許文献１参照。）。
【特許文献１】特開２００４−６５４９３号公報
【発明の開示】
【発明が解決しようとする課題】
【０００６】
前記電源装置６には前面のスイッチ類の他にも異物によって不正操作される可能性のあることが新たに判明した。すなわち、上記のように電源装置６の上面には複数のコネクタ１３ａ，１３ｂがあり、そのコネクタ１３ａ，１３ｂに電気部品のコネクタ端子１４ａ，１４ｂが接続されているが、該コネクタ１３ａ，１３ｂの周辺に導電性の異物を差し込んで基板をショートさせれば、例えばメダル放出装置５を誤作動させて大量のメダルを得ることができる。また、当たり確率の設定もメイン基板に対するＯＮ／ＯＦＦ信号で行っているため、不正に変更されるおそれもあった。
本発明は上記に鑑みなされたもので、その目的は異物による不正工作に強い遊技機の電源装置を提供することにある。
【課題を解決するための手段】
【０００７】
ケース体の上面にコネクタを有する遊技機の電源装置において、他の電気部品のコネクタ端子を前記コネクタに差し込んだ状態でそのコネクタ端子の突出高さより高い周壁で前記コネクタの周りを囲繞すると共に該周壁の上面を天板で塞ぐようになし、さらに前記周壁に形成したケーブル口から前記コネクタ端子のケーブルを横向きに引き出すようにした遊技機の電源装置を提供する。
【発明の効果】
【０００８】
電源装置のコネクタとコネクタ端子の周りが、周壁と天板で覆われているため異物がコネクタに接触できず、よしんば異物が周壁に形成したケーブル口から侵入してコネクタ端子への接触に成功したとしても、コネクタ周辺の隙間を突くためにはその隙間に対して異物を垂直に差し込む必要があるところ、横向きに開いたケーブル口を通った時点で異物の向き（動き）は横向きに規制されるため前記隙間を突くことは難しい。従って電源装置の上面を狙った不正工作を完全に封じることができる。
【発明を実施するための最良の形態】
【０００９】
以下に本発明の実施の形態をスロットマシンを例示して図面により説明する。なお、図１は電源装置の斜視図、図２は使用状態を示す要部の縦断面図、図３は使用状態を示す要部の縦断面図、図４は電源装置の分解斜視図、図５は電源装置の上部を示す分解斜視図、図６は電源装置の分解斜視図、図７は他形態の使用状態を示す要部の縦断面図、図８は前面パネルの一部を切り欠いたスロットマシンの正面図である。
【００１０】
スロットマシンは、図８に示したように、外枠１の前面に対し、扉型の前面パネル２を同図において左側を支点として開閉自在に装着してなる。外枠１は、底板１ａ、左側板１ｂ、右側板１ｃ、枠天板１ｄ、背板１ｅによって箱形に形成されており、その左側板１ｂの壁際であって底板１ａ上に電源装置６を設置してなる。この電源装置６は、複数（例えば３個）のドラム３ａ，３ｂ，３ｃを回転させて前記前面パネル２の表示窓４から見える図柄を変動させる変動表示装置３や、遊技媒体たるメダルを放出するメダル放出装置５、或いは遊技制御用のメイン基板（図示せず）等の各種電気部品に電力を供給するためのものである。
【００１１】
電源装置６は、図４に示したように金属製の四角いケース体７で覆われており、該ケース体７の前面に、例えば電源スイッチ８、エラー解除スイッチ９、確率設定変更用の専用キーで操作する当たり率設定用のキースイッチ１０、打止めスイッチ１１、精算切替スイッチ１２等のスイッチ類が集められている。
一方、電源装置６のケース体７の上面には他の電気部品のケーブル１４の端にあるコネクタ端子１４ａ，１４ｂ，１４ｃを差し込むための複数のコネクタ１３ａ，１３ｂ，１３ｃが設けられている。なお、図４において一つのコネクタ端子１４ｃは外部電源に繋がるものであり、電源装置６に対して外部から電力を供給するためのものである。
【００１２】
しかして本発明の電源装置６は、他の電気部品のコネクタ端子１４ａ，１４ｂ，１４ｃをケース体７の上面のコネクタ１３ａ，１３ｂ，１３ｃに差し込んだ状態でそのコネクタ端子１４ａ，１４ｂ，１４ｃの突出高さより高い周壁１５で前記コネクタ１３ａ，１３ｂ，１３ｃの周りを囲繞すると共に該周壁１５の上面を天板１６で塞ぐようになし、さらに前記周壁１５に形成したケーブル口１７ａ，１７ｂ，１７ｃから前記コネクタ端子１４ａ，１４ｂのケーブル１４を横向きに引き出すようにしてある。また、電源装置６は、スイッチ類を設けた前面に前カバー１８を設け、該前カバー１８によってスイッチ類の勝手な操作ができないようになっている。
【実施例１】
【００１３】
前記周壁１５と天板１６を合成樹脂製のキャップユニット１９として形成し、そのキャップユニット１９を電源装置６のケース体７の上面に固定する。キャップユニット１９は、一つの広い空間を各コネクタ１３ａ，１３ｂ，１３ｃ毎に周壁１５，１５…で仕切って各部屋を独立させると共にケース体７上面の排熱孔２０に対応する部分を排熱室２１とする。該排熱室２１は外枠１の背板１ｅに設けた排気口２２に連通するようになっており、電源装置６の排熱が排熱室２１を通って排気口２２から機裏に排出される。
【００１４】
キャップユニット１９の周壁１５には前記のようにケーブル１４を通すケーブル口１７ａ，１７ｂ，１７ｃが形成されているが、壁際のコネクタ１３ｃに対応するケーブル口１７ｃは天板１６にまで及ぶ。外枠１の左側板１ｂと周壁１５の間にケーブル１４挿通用のスペースが確保できないためである。そこで実施例の電源装置６は、上面のコネクタ１３ａ，１３ｂ，１３ｃのうち、電源供給用のコネクタ１３ｃを壁際に配置し、それ以外のコネクタ１３ａ，１３ｂを反対側に配置した。こうすることにより、もし仮に天板１６に空いたケーブル口１７ｃから異物が差し込まれても、それが電源供給用のコネクタ１３ｃである限り殆ど実害がない。
【００１５】
キャップユニット１９の底面には図５に示したようにＬ字に曲がった止着片２３，２３が突設されており、その止着片２３，２３をケース体７上面の受孔２５，２５に入れて引っ掛けるとキャップユニット１９が電源装置６の上面に載ってその場所に止まる。また、キャップユニット１９には前方に向けて板状の鍔片２４が突設されている。
【００１６】
一方、電源装置６の前面を覆う前カバー１８は、図６に示したように、ケース体７の前面とほぼ同形の主板１８ａと、その主板１８ａの裏側の両縁に突設した側片１８ｂ，１８ｂと、主板１８ａの裏側の頂部に突設した天片１８ｃとからなる。前カバー１８には図６に示したように前記キャップユニット１９と同形態の止着片２３，２３…が突設されており、該止着片２３，２３…をケース体７前面の受孔２５，２５…に入れて引っ掛けることにより前カバー１８を電源装置６の前面に取り付けることができる。前カバー１８の主板１８ａにはケース体７前面のエラー解除スイッチ９に対応する長孔２６が開設されており、その長孔２６からエラー解除スイッチ９が外部に臨む。なお、主板１８ａとケース体７の間の空間２７と長孔２６は、長孔２６の内周沿いに突設したスリーブ２８で仕切られるため、長孔２６を侵入口として不正工作用の異物がケース体７前面のスイッチ類に達するおそれはない。
【００１７】
前記キャップユニット１９と前カバー１８は、さらに着脱自在な市販のボタン型パネルファスナー２９（商品名「ナイラッチ」：登録商標）によってケース体７にしっかりと取り付けられる。すなわち、図４に示したように、ケース体７には上面の前側の隅角部に前記ボタン型パネルファスナー２９の軸部２９ａを通す貫通孔３０が穿設されており、また、キャップユニット１９には前記鍔片２４に前記貫通孔３０に対応するＵ字状の切欠３１が形成されており、さらに前カバー１８の天片１８ｃには前記貫通孔３０に対応する止め孔３２が貫設されている。そしてキャップユニット１９の鍔片２４の上に前カバー１８の天片１８ｃを重ね、該天片１８ｃの止め孔３２からケース体７の貫通孔３０に向けてボタン型パネルファスナー２９の軸部２９ａを通し、最後にボタン型パネルファスナー２９のロックボタン２９ｂを押し込めば、周知のように軸部２９ａが拡開してボタン型パネルファスナー２９が貫通孔３０から抜けなくなる。この状態で前カバー１８はボタン型パネルファスナー２９で係止され、また、キャップユニット１９は、前縁の鍔片２４が前カバー１８の天片１８ｃの下に潜り込んだ状態になっているため、前カバー１８を介してボタン型パネルファスナー２９で止められる。
【００１８】
また、キャップユニット１９と前カバー１８には、必要に応じて錠３３が掛けられるようになっている。すなわち図２，図４に示したように前記ケース体７の前面上縁ほぼ中央に穴３４が開いた固定板３５を突設し、一方、キャップユニット１９の天片１８ｃ上面ほぼ中央に前記固定板３５に合わさる穴３６付きのロック板３７を突設し、このロック板３７と前記固定板３５を前後に重ねた状態で両者の穴３４，３６に錠３３の施錠杆３３ａを通してロックする。もちろん錠３３を掛けた状態では前カバー１８が外れないためキャップユニット１９も当然外れない。
なお、キャップユニット１９の前側中央には凹陥状のスペース３８が形成してあり、そのスペース３８に前記錠３３が収まる。また、錠３３を掛けるか否かはユーザーの自由であり、従って錠３３は必要とする場合にのみ使用すればよい。
【実施例２】
【００１９】
上記実施例１ではケース体７の上面にキャップユニット１９を固定して周壁１５と天板１６を形成するようにしたが、図示しないが、金属製の周壁１５をケース体７の上部に延設し、その周壁１５上に合成樹脂製の天板１６を被せるようにしてもよい。
【実施例３】
【００２０】
上記実施例１では前カバー１８にエラー解除スイッチ９を通すための長孔２６を形成したが、同様の開口（図示せず）を当たり率設定用のキースイッチ１０に対応させて形成するようにしてもよい。そうすることにより当たり率の設定作業が効率よく行える。もちろんキースイッチ１０の操作には専用キーを必要とするため、キースイッチ１０が前カバー１８の正面に露出していても原則として問題はない。
【００２１】
但し、電源装置６に使われるキースイッチ１０は比較的防犯レベルが低いため偽造される可能性があり、そうした場合には偽造キーによる不正工作が行われ得る。
かかる点に鑑み図７に示したように、前カバー１８に開口３９を設けてその開口３９とキースイッチ１０の間に仲介錠４０を組み込むようにするとよい。この仲介錠４０は、錠本体４０ａと、前記キースイッチ１０の専用キー４０ｂで構成され、錠本体４０ａの後端に専用キー４０ｂを固着し、錠本体４０ａの鍵穴（図示せず）にキーを差し込んだ状態でのみ専用キー４０ｂが回るようになっている。該仲介錠４０は、前カバー１８の前記開口３９部分に設けた受筒４１内に回転不能且つ軸方向に摺動可能な状態（例えば受筒４１と錠本体４０ａを六角柱形など非円柱形にすればよい。）に装填され、受筒４１内に設けた弾性体４２（図７の弾性体４２は皿座金状のバネ）によってキースイッチ１０側に付勢されている。なお、この弾性体４２は仲介錠４０の専用キー４０ｂをキースイッチ１０に確実に差し込む機能を果たすが、仲介錠４０を操作するときに押し込みながらキーを回すようにすれば前記弾性体４２は必須でない。
【００２２】
以上のように前カバー１８の開口３９とキースイッチ１０の間に仲介錠４０を組み込むようにすれば、キースイッチ１０を操作するために仲介錠４０に適合する固有のキーを必要とし、また、仲介錠４０として防犯レベルの高いものを使用することができるから、前記した確率設定変更時の操作性と防犯性の双方を満足させることができる。
【００２３】
以上、本発明を実施形態及び実施例１乃至３について説明したが、もちろん本発明は上記実施形態等に限定されるものではない。例えば、実施例１では全コネクタ１３ａ，１３ｂ，１３ｃを一つのキャップユニット１９で対応したが、各コネクタ１３ａ，１３ｂ，１３ｃに個別に周壁１５と天板１６を設けるようにしてもよい。もっとも実施例１のように一つのキャップユニット１９で全コネクタ１３ａ，１３ｂ，１３ｃに対応させるようにすれば、作業性の向上は言うまでもなく、周壁１５の仕切りを利用して排熱室２１も併設できるため、スロットマシン内部の昇温対策にも有用性を発揮する。
【００２４】
また、実施形態等では遊技機としてスロットマシンを例示したが、スロットマシン以外の遊技機にも適用可能である。
【図面の簡単な説明】
【００２５】
【図１】電源装置の斜視図である。
【図２】使用状態を示す要部の縦断面図である。
【図３】使用状態を示す要部の縦断面図である。
【図４】電源装置の分解斜視図である。
【図５】電源装置の上部を示す分解斜視図である。
【図６】電源装置の分解斜視図である。
【図７】使用状態を示す要部の縦断面図である。
【図８】前面パネルの一部を切り欠いたスロットマシンの正面図である。
【図９】従来のスロットマシンの一部を切り欠いた正面図である。
【符号の説明】
【００２６】
３  …変動表示装置（電気部品）
５  …メダル放出装置（電気部品）
６  …電源装置
７  …ケース体
１３ａ，１３ｂ，１３ｃ…コネクタ
１４…ケーブル
１４ａ，１４ｂ，１４ｃ…コネクタ端子
１５…周壁
１６…天板
１７ａ，１７ｂ，１７ｃ…ケーブル口
【図１】
2006006496.tif 000003
【図２】
2006006496.tif 000004
【図３】
2006006496.tif 000005
【図４】
2006006496.tif 000006
【図５】
2006006496.tif 000007
【図６】
2006006496.tif 000008
【図７】
2006006496.tif 000009
【図８】
2006006496.tif 000010
【図９】
2006006496.tif 000011